(57)【要約】　　　（修正有）【課題】手の平でグリップしたときに、手の平になじみやすく、長時間グリップしていても疲れにくく、又、バッグの荷重をバランス良く支えることができるバッグの持ち手を提供する。【解決手段】手の平で握るグリップ部２と、上記グリップ部の両端から下方へ伸びて、その下端部にバッグ本体への連結部４が形成された左右の取付脚部６とにより構成され、上記グリップ部は、グリップ部本体８と、このグリップ部本体の上部及び下部において連続して突出形成された突条部１０とを備え、上記グリップ部の下部の中央部は下方に膨出形成されていると共に、上記左右の取付脚部は、上記連結部からグリップ部に至るに従って次第に細径となるように形成される。【選択図】　　　　図１
0003096892.tif 000002
【実用新案登録請求の範囲】
【請求項１】
手の平で握るグリップ部と、上記グリップ部の両端から下方へ伸びて、その下端部にバッグ本体への連結部が形成された左右の取付脚部とにより構成されたバッグの持ち手において、
上記グリップ部は、グリップ部本体と、このグリップ部本体の上部及び下部において連続して突出形成された突条部とを備え、上記グリップ部の下部の中央部は下方に膨出形成されていると共に、上記左右の取付脚部は、上記連結部からグリップ部に至るに従って次第に細径となるように形成されていることを特徴とするバッグの持ち手。
【請求項２】
上記グリップ部は、厚さ方向に分割形成されていることを特徴とするバッグの持ち手。
【考案の詳細な説明】
【０００１】
【発明の属する技術分野】
本考案はバッグの持ち手に関する。
【０００２】
【従来の技術】
従来のバッグの持ち手は、ベルト状又は紐状のものが多く、手の平でその持ち手をグリップした場合に、そのグリップ部が手の平の凹凸にフィットせず、手の平になじみにくいという不満があった。したがって、長時間グリップしていると、手の平が疲れやすく、頻繁に持ち替えねばならなかった。
【０００３】
また、従来のバッグの持ち手は、バッグ本体に対する連結部が狭いので、バッグの荷重が集中する傾向があり、バッグをバランス良く支えられないという問題もあった。
【０００４】
【考案が解決しようとする課題】
そこで本考案は上記の問題を解決すること、すなわち、手の平でグリップしたときに、手の平になじみやすく、長時間グリップしていても疲れにくく、又、バッグの荷重をバランス良く支えることができる持ち手の提供を課題とする。
【０００５】
【課題を解決するための手段】
上記課題を解決するために、本考案の持ち手は、手の平で握るグリップ部と、上記グリップ部の両端から下方へ伸びて、その下端部にバッグ本体への連結部が形成された左右の取付脚部とにより構成されたバッグの持ち手において、上記グリップ部は、グリップ部本体と、このグリップ部本体の上部及び下部において連続して突出形成された突条部とを備え、上記グリップ部の下部の中央部は下方に膨出形成されていると共に、上記左右の取付脚部は、上記連結部からグリップ部に至るに従って次第に細径となるように形成されていることを特徴とするものである。
【０００６】
また、上記グリップ部は、厚さ方向に分割形成されているものとすることができる。
【０００７】
【考案の実施の形態】
以下、添付した図面を用いて本考案の実施の形態について説明する。まず、図１乃至図３に示すように、本実施の形態に係るバッグの持ち手１は、手の平で握るグリップ部２と、上記グリップ部２の両端から下方へ伸びて、その下端部にバッグ本体３への連結部４，５が形成された左右の取付脚部６，７とにより構成されている。そして、上記グリップ部２は、グリップ部本体８と、このグリップ部本体８の上部及び下部において連続して突出形成された突条部９，１０とを備え、上記グリップ部２の下部の中央部は下方に膨出形成されていると共に、上記左右の取付脚部６，７は、上記連結部４，５からグリップ部２に至るに従って次第に細径となるように形成されている。
また、図４及び図５に示すように、上記グリップ部２は、厚さ方向に分割形成されている。
【０００８】
上記グリップ部２は、図１及び図２に示すように、板部材を縦向きにしたような断面形状を有し、上下方向の中間部に外方へ横向きに突出したグリップ部本体８が形成されている。
【０００９】
また、上記グリップ部本体８の上部及び下部には連続して突条部９，１０が突出形成されている。
【００１０】
上記グリップ部２は、図２に示すように、芯部材１１が外被部材１２，１３で被覆された構造を有している。
【００１１】
そして、上記グリップ部本体８には上記芯部材１１が入っているが、上記突条部９，１０は外被部材１２，１３だけで構成されている。すなわち、上記グリップ部本体８は上記芯部材１１の厚み分だけ外方へ横向きに突出している。なお、芯部材１１及び外被部材１２，１３は、型くずれしにくい、やや硬質な素材で形成されている。
【００１２】
また、図１に示すように、上記グリップ部２の下部の中央部は、下方に膨出形成されている。すなわち、上記グリップ部２の下部（グリップ部本体８及び突条部１０の下辺部）は、中央部が下方へ円弧状に突出している。
【００１３】
なお、本実施の形態に係る上記グリップ部２は、図４及び図５に示すように、厚さ方向に分割形成されている。すなわち、前後一対になっていて、それぞれバッグ本体３の前胴部１４と後胴部１５へ取り付けられている。なお、分割面１６は凹凸の無い平滑な面になっていて、前後のグリップ部２を合わせたときに、分割面１６どうしを密着可能にしている。
【００１４】
次に、図１及び図３に示すように、上記取付脚部６，７は上記グリップ部２の左右両端から連続して下方へ向って突出するように形成されている。
【００１５】
この取付脚部６，７も、図３に示すように、上記グリップ部２と同一の構造を有している。すなわち、左右方向（幅方向）の中間部に外方へ横向きに突出した脚部本体１７，１８を有し、その脚部本体１７，１８の左側部及び右側部に連続して突条部１９，２０，２１，２２が突出形成されている。なお、この突条部１９，２０，２１，２２は上記グリップ部２に形成された突条部９，１０と連続している。そして、この取付脚部６，７も芯部材１１が外被部材１２，１３で被覆された構造を有し、上記脚部本体１７，１８には上記芯部材１１が入っているが、上記突条部１９，２０，２１，２２は外被部材１２，１３だけで構成されている。すなわち、上記脚部本体１７，１８は上記芯部材１１の厚み分だけ外方へ横向きに突出している。
【００１６】
また、この取付脚部６，７も上記グリップ部２と同一の素材で形成されている。すなわち、芯部材１１及び外被部材１２，１３は、上記グリップ部２のものと同一である。
【００１７】
また、図１に示すように、上記左右の取付脚部６，７は、上記連結部４，５からグリップ部２に至るに従って次第に細径となるように形成されている。すなわち、上記左右の取付脚部６，７は下端部が最も幅広で、上方へ向って次第に幅を狭めている。そして、下端部の最も幅広な部位に上記連結部４，５が形成されている。
【００１８】
上記連結部４，５には、図１及び図３に示すように、横長の孔２３，２４が穿設されている。一方、バッグ本体３にはリング状の連結ベルト２５，２６が取り付けられている。そして、この連結ベルト２５，２６が上記の孔２３，２４に挿通されることによって、上記取付脚部６，７がバッグ本体３に連結している。
【００１９】
【作用】
上記グリップ部３の上部及び下部に形成された上記突条部９，１０、が、上記グリップ部３を手の平で握持した際に、指の曲折部に引っ掛かりやすくなる。また、上記グリップ部２の下部の中央部が下方に膨出形成されているので、手の平のカーブにフィットしやすい。さらに、外方へ横向きに突出したグリップ部本体８が手の平の窪みにフィットする。したがって、上記グリップ部３は手の平に対するフィット感が良く、手の平になじみやすい。
【００２０】
また、上記左右の取付脚部６，７は、上記連結部４，５からグリップ部２に至るに従って次第に細径となるように形成されていて、その最も幅広な下端部に連結部４，５が形成されているので、バッグ本体３と連結する部材、例えば上記の連結ベルト２５，２６の幅を広くすることができる。したがって、荷重が狭い部位に集中するのを回避して、バッグの荷重を広い範囲でバランス良く支えることができる。
【００２１】
【考案の効果】
請求項１に記載された本考案のバッグの持ち手は、グリップ部における突条部が、グリップ部を手の平で握持した際に、指の曲折部の凹部に引っ掛かりやすくなり、また、グリップ部の下部の中央部が下方に膨出形成されていて、手の平のカーブにフィットしやすく、さらに、外方へ横向きに突出したグリップ部本体が手の平の窪みにフィットしやすいので、グリップ部の手の平に対するフィット感が極めて良く、手の平になじみやすいため、使い勝手が頗る良好である。
また、左右の取付脚部は、その最も幅広な下端部に連結部が形成されているので、バッグ本体と連結する部材の幅を広くすることができるため、荷重が狭い部位に集中するのを回避して、バッグの荷重を広い範囲でバランス良く支えることができる。これにより、連結部が破損しにくくなるとともに、グリップ部を握ったときに、実際より荷重が軽く感じられる。
また、請求項２に記載された本考案のバッグの持ち手は、グリップ部が厚さ方向に分割形成されていて、前後一対になっているので、それぞれバッグ本体の前胴部と後胴部へ取り付けることができ、バッグ本体が厚い場合や、厚さ方向の中央部に開口部が設けられている場合でも、そのバッグ本体の前後を確実に支持することができる。
【図面の簡単な説明】
【図１】バッグ本体に取り付けられた状態の正面図である。
【図２】図１のＢ−Ｂ線における断面図である。
【図３】図１のＣ−Ｃ線における断面図である。
【図４】バッグ本体に取り付けられた状態の斜視図である。
【図５】図４のＡ−Ａ線における断面図である。
【符号の説明】
１　持ち手
２　グリップ部
３　バッグ本体
４　連結部
５　連結部
６　取付脚部
７　取付脚部
８　グリップ部本体
９　突条部
１０　突条部
１１　芯部材
１２　外被部材
１３　外被部材
１４　前胴部
１５　後胴部
１６　分割面
１７　脚部本体
１８　脚部本体
１９　突条部
２０　突条部
２１　突条部
２２　突条部
２３　孔
２４　孔
２５　連結ベルト
２６　連結ベルト
【図１】
0003096892.tif 000003
【図２】
0003096892.tif 000004
【図３】
0003096892.tif 000005
【図４】
0003096892.tif 000006
【図５】
0003096892.tif 000007
【手続補正書】
【提出日】平成15年5月9日(2003.5.9)
【手続補正１】
【補正対象書類名】明細書
【補正対象項目名】全文
【補正方法】変更
【補正の内容】
【考案の詳細な説明】
【実用新案登録請求の範囲】
【請求項１】手の平で握るグリップ部と、上記グリップ部の両端から下方へ伸びて、その下端部にバッグ本体への連結部が形成された左右の取付脚部とにより構成されたバッグの持ち手において、
上記グリップ部は、グリップ部本体と、このグリップ部本体の上部及び下部において連続して突出形成された突条部とを備え、上記グリップ部の下部の中央部は下方に膨出形成されていると共に、上記左右の取付脚部は、上記連結部からグリップ部に至るに従って次第に細径となるように形成されていることを特徴とするバッグの持ち手。
【請求項２】上記グリップ部は、厚さ方向に分割形成されていることを特徴とする請求項１記載のバッグの持ち手。
【考案の詳細な説明】
【０００１】
【発明の属する技術分野】
本考案はバッグの持ち手に関する。
【０００２】
【従来の技術】
従来のバッグの持ち手は、ベルト状又は紐状のものが多く、手の平でその持ち手をグリップした場合に、そのグリップ部が手の平の凹凸にフィットせず、手の平になじみにくいという不満があった。したがって、長時間グリップしていると、手の平が疲れやすく、頻繁に持ち替えねばならなかった。
【０００３】
また、従来のバッグの持ち手は、バッグ本体に対する連結部が狭いので、バッグの荷重が集中する傾向があり、バッグをバランス良く支えられないという問題もあった。
【０００４】
【考案が解決しようとする課題】
そこで本考案は上記の問題を解決すること、すなわち、手の平でグリップしたときに、手の平になじみやすく、長時間グリップしていても疲れにくく、又、バッグの荷重をバランス良く支えることができる持ち手の提供を課題とする。
【０００５】
【課題を解決するための手段】
上記課題を解決するために、本考案の持ち手は、手の平で握るグリップ部と、上記グリップ部の両端から下方へ伸びて、その下端部にバッグ本体への連結部が形成された左右の取付脚部とにより構成されたバッグの持ち手において、上記グリップ部は、グリップ部本体と、このグリップ部本体の上部及び下部において連続して突出形成された突条部とを備え、上記グリップ部の下部の中央部は下方に膨出形成されていると共に、上記左右の取付脚部は、上記連結部からグリップ部に至るに従って次第に細径となるように形成されていることを特徴とするものである。
【０００６】
また、上記グリップ部は、厚さ方向に分割形成されているものとすることができる。
【０００７】
【考案の実施の形態】
以下、添付した図面を用いて本考案の実施の形態について説明する。まず、図１乃至図３に示すように、本実施の形態に係るバッグの持ち手１は、手の平で握るグリップ部２と、上記グリップ部２の両端から下方へ伸びて、その下端部にバッグ本体３への連結部４，５が形成された左右の取付脚部６，７とにより構成されている。そして、上記グリップ部２は、グリップ部本体８と、このグリップ部本体８の上部及び下部において連続して突出形成された突条部９，１０とを備え、上記グリップ部２の下部の中央部は下方に膨出形成されていると共に、上記左右の取付脚部６，７は、上記連結部４，５からグリップ部２に至るに従って次第に細径となるように形成されている。
また、図４及び図５に示すように、上記グリップ部２は、厚さ方向に分割形成されている。
【０００８】
上記グリップ部２は、図１及び図２に示すように、板部材を縦向きにしたような断面形状を有し、上下方向の中間部に外方へ横向きに突出したグリップ部本体８が形成されている。
【０００９】
また、上記グリップ部本体８の上部及び下部には連続して突条部９，１０が突出形成されている。
【００１０】
上記グリップ部２は、図２に示すように、芯部材１１が外被部材１２，１３で被覆された構造を有している。
【００１１】
そして、上記グリップ部本体８には上記芯部材１１が入っているが、上記突条部９，１０は外被部材１２，１３だけで構成されている。すなわち、上記グリップ部本体８は上記芯部材１１の厚み分だけ外方へ横向きに突出している。なお、芯部材１１及び外被部材１２，１３は、型くずれしにくい、やや硬質な素材で形成されている。
【００１２】
また、図１に示すように、上記グリップ部２の下部の中央部は、下方に膨出形成されている。すなわち、上記グリップ部２の下部（グリップ部本体８及び突条部１０の下辺部）は、中央部が下方へ円弧状に突出している。
【００１３】
なお、本実施の形態に係る上記グリップ部２は、図４及び図５に示すように、厚さ方向に分割形成されている。すなわち、前後一対になっていて、それぞれバッグ本体３の前胴部１４と後胴部１５へ取り付けられている。なお、分割面１６は凹凸の無い平滑な面になっていて、前後のグリップ部２を合わせたときに、分割面１６どうしを密着可能にしている。
【００１４】
次に、図１及び図３に示すように、上記取付脚部６，７は上記グリップ部２の左右両端から連続して下方へ向って突出するように形成されている。
【００１５】
この取付脚部６，７も、図３に示すように、上記グリップ部２と同一の構造を有している。すなわち、左右方向（幅方向）の中間部に外方へ横向きに突出した脚部本体１７，１８を有し、その脚部本体１７，１８の左側部及び右側部に連続して突条部１９，２０，２１，２２が突出形成されている。なお、この突条部１９，２０，２１，２２は上記グリップ部２に形成された突条部９，１０と連続している。そして、この取付脚部６，７も芯部材１１が外被部材１２，１３で被覆された構造を有し、上記脚部本体１７，１８には上記芯部材１１が入っているが、上記突条部１９，２０，２１，２２は外被部材１２，１３だけで構成されている。すなわち、上記脚部本体１７，１８は上記芯部材１１の厚み分だけ外方へ横向きに突出している。
【００１６】
また、この取付脚部６，７も上記グリップ部２と同一の素材で形成されている。すなわち、芯部材１１及び外被部材１２，１３は、上記グリップ部２のものと同一である。
【００１７】
また、図１に示すように、上記左右の取付脚部６，７は、上記連結部４，５からグリップ部２に至るに従って次第に細径となるように形成されている。すなわち、上記左右の取付脚部６，７は下端部が最も幅広で、上方へ向って次第に幅を狭めている。そして、下端部の最も幅広な部位に上記連結部４，５が形成されている。
【００１８】
上記連結部４，５には、図１及び図３に示すように、横長の孔２３，２４が穿設されている。一方、バッグ本体３にはリング状の連結ベルト２５，２６が取り付けられている。そして、この連結ベルト２５，２６が上記の孔２３，２４に挿通されることによって、上記取付脚部６，７がバッグ本体３に連結している。
【００１９】
【作用】
上記グリップ部３の上部及び下部に形成された上記突条部９，１０、が、上記グリップ部３を手の平で握持した際に、指の曲折部に引っ掛かりやすくなる。また、上記グリップ部２の下部の中央部が下方に膨出形成されているので、手の平のカーブにフィットしやすい。さらに、外方へ横向きに突出したグリップ部本体８が手の平の窪みにフィットする。したがって、上記グリップ部３は手の平に対するフィット感が良く、手の平になじみやすい。
【００２０】
また、上記左右の取付脚部６，７は、上記連結部４，５からグリップ部２に至るに従って次第に細径となるように形成されていて、その最も幅広な下端部に連結部４，５が形成されているので、バッグ本体３と連結する部材、例えば上記の連結ベルト２５，２６の幅を広くすることができる。したがって、荷重が狭い部位に集中するのを回避して、バッグの荷重を広い範囲でバランス良く支えることができる。
【００２１】
【考案の効果】
請求項１に記載された本考案のバッグの持ち手は、グリップ部における突条部が、グリップ部を手の平で握持した際に、指の曲折部の凹部に引っ掛かりやすくなり、また、グリップ部の下部の中央部が下方に膨出形成されていて、手の平のカーブにフィットしやすく、さらに、外方へ横向きに突出したグリップ部本体が手の平の窪みにフィットしやすいので、グリップ部の手の平に対するフィット感が極めて良く、手の平になじみやすいため、使い勝手が頗る良好である。
また、左右の取付脚部は、その最も幅広な下端部に連結部が形成されているので、バッグ本体と連結する部材の幅を広くすることができるため、荷重が狭い部位に集中するのを回避して、バッグの荷重を広い範囲でバランス良く支えることができる。これにより、連結部が破損しにくくなるとともに、グリップ部を握ったときに、実際より荷重が軽く感じられる。
また、請求項２に記載された本考案のバッグの持ち手は、グリップ部が厚さ方向に分割形成されていて、前後一対になっているので、それぞれバッグ本体の前胴部と後胴部へ取り付けることができ、バッグ本体が厚い場合や、厚さ方向の中央部に開口部が設けられている場合でも、そのバッグ本体の前後を確実に支持することができる。
【図面の簡単な説明】
【図１】バッグ本体に取り付けられた状態の正面図である。
【図２】図１のＢ−Ｂ線における断面図である。
【図３】図１のＣ−Ｃ線における断面図である。
【図４】バッグ本体に取り付けられた状態の斜視図である。
【図５】図４のＡ−Ａ線における断面図である。
【符号の説明】
１　持ち手
２　グリップ部
３　バッグ本体
４　連結部
５　連結部
６　取付脚部
７　取付脚部
８　グリップ部本体
９　突条部
１０　突条部
１１　芯部材
１２　外被部材
１３　外被部材
１４　前胴部
１５　後胴部
１６　分割面
１７　脚部本体
１８　脚部本体
１９　突条部
２０　突条部
２１　突条部
２２　突条部
２３　孔
２４　孔
２５　連結ベルト
２６　連結ベルト